(57)【要約】      （修正有）【課題】周知の技術の組合せ、加工の複雑さと、操作時の抵抗力或いは干渉が大きい状況を改善する回転軸装置の提供。【解決手段】軸室が画定されたブシュ22を具え、往復運動可能なカム23とスプリング24が該軸室内に組み合わされ、スライドロッド31を具えた制動器が軸室21に挿入され、並びに上述のカムとバネを通過して外力或いは電子機器のカバーを開く作用力により制動器が回転してスライドロッドをカムの凹面上で移動させ、これによりカムを圧迫して軸方向の移動を発生させてスプリングにエネルギーを蓄積させるよう形成されている。【選択図】図４
0003101570.tif 000002
【実用新案登録請求の範囲】
【請求項１】
軸室を画定したブシュと、
該ブシュの軸室内に配置されて脊椎部と谷部を具えた凹面を具えたカム及び該軸室内に配置されたスプリングと、
制動器とを具え、
該制動器が該軸室に進入し且つ該カムとスプリングを通過し、該制動器は恒常的に該カムの該凹面上に位置するスライドロッドを具え、制動器が外力により回される時、該スライドロッドが凹面上を移動し、強制的にカムに軸方向移動を発生させてスプリングにエネルギーを蓄積させることを特徴とする、回転軸装置。
【請求項２】
請求項１記載の回転軸装置において、制動器のスライドロッドが制動器の軸線方向に垂直に設けられたことを特徴とする、回転軸装置。
【請求項３】
請求項１記載の回転軸装置において、カムの凹面が対称形態とされたことを特徴とする、回転軸装置。
【請求項４】
請求項１記載の回転軸装置において、カムの凹面が、谷部から脊椎部の長さが脊椎部からもう一辺の谷部の長さより大きく形成されたことを特徴とする、回転軸装置。
【請求項５】
請求項１又は請求項２記載の回転軸装置において、スライドロッドと凹面が点又は線接触を形成することを特徴とする、回転軸装置。
【請求項６】
請求項１記載の回転軸装置において、カムが方形体とされたことを特徴とする、回転軸装置。
【請求項７】
請求項１又は請求項６記載の回転軸装置において、カムの凹面が、谷部から脊椎部の長さが脊椎部からもう一辺の谷部の長さより大きく形成されたことを特徴とする、回転軸装置。
【請求項８】
請求項１記載の回転軸装置において、制動器に制動器の他の部分より大きい頭部が設けられ、制動器がカムの貫通孔を通過した後、少なくとも該頭部は該カムを通過不能とされたことを特徴とする、回転軸装置。
【請求項９】
請求項１又は請求項８記載の回転軸装置において、制動器の尾端がカムとスプリングを通過した後にスナップリングで固定されたことを特徴とする、回転軸装置。
【請求項１０】
請求項１又は請求項２記載の回転軸装置において、スライドロッドが制動器と一体に形成されたことを特徴とする、回転軸装置。
【考案の詳細な説明】
【技術分野】
【０００１】
本考案は電子機器に応用される一種の回転軸装置に係り、特に簡単な構造で操作過程に形成する抵抗力小さい回転軸装置に関する。
【背景技術】
【０００２】
外力により往復回転を行なう回転軸装置が電子機器、例えば携帯電話、ポータブルコンピュータ等にあって、カバー或いはディスプレイを回転させて開閉するのに使用されているのは周知のとおりである。通常、周知の回転軸装置はネジ部を具えた軸が複数のディスク状ワッシャ或いはスプリングに通された後、ナットで固定され、カバー或いはディスプレイの回転を緊迫及び許容する作用を形成する。例えば特許文献１、２はその典型的な実施例である。
【０００３】
また特許文献３には携帯電話に取り付けられた別の形態の回転軸装置１０が記載され、それは図１〜図３に示されるように、ピン１１と、ピン１１に組み合わされたスプリング１３、カバーＣの軸孔Ａと携帯電話本体に螺子止めされた支軸Ｂに組み合わされる右側軸１２、カバーＣの軸孔Ａ’と携帯電話本体に螺子止めされた支軸Ｂ’に組み合わされる左側軸１５、及び中継軸１４を具え、ピン１１が回転軸装置１０を貫通し、回転軸装置１０中、支軸Ｂに組み合わされる右側軸１２の一端に突出する側翼１２１、１２２が設けられて側翼１２１、１２２間に翼室１２３が画定されている。該ピン１１はスプリング１３に通された後、中継軸１４を貫通し、一端がカバーの軸孔Ａ’と支軸Ｂ’に嵌合される左側軸１５に挿入される。該中継軸１４の側翼１２１、１２２に対向する端部には対応する翼部１４１、１４２が設けられて翼部１４１、１４２の間に端部室１４３が形成され、該側翼１２１、１２２と翼部１４１、１４２が組み合わされて、この端部室１４３と上述の翼室１２３が共同でスプリング１３を収容する。中継軸１４の別端には二つの円弧突起１４４、１４５が凸設されてその間に二つの凹部１４６が形成されて左側軸１５の円弧端１５１、１５２とその間に形成された凹部１５３に組み合わされる。蓋板Ｃが開かれる時、中継軸１５の二つの円弧突起１４４、１４５が左側軸の凹部１５３に沿って移動し、スプリング１３を圧縮し、並びに強制的に翼部１４１、１４２を圧迫して翼室１２３に進入させ、側翼１２１、１２２が端部室１４３の内部に進入する。二つの円弧突起１４４、１４５がそれぞれ二つの円弧端１５１、１５２を超過する時、該円弧突起１４４、１４５は支持を失い、上述のスプリング１３の回復により円弧突起１４４、１４５が凹部１５３に沿って軸方向に回転し、カバーＣをある角度開放された状態に位置決めする。
【０００４】
この技術は回転軸装置１０の実際の操作中に以下のような問題がある。
１．中継軸１４の円弧突起１４４、１４５、凹部１４６と左側軸１５の円弧端１５１、１５２、凹部１５３の相互の組合せは、面の接触を形成し、操作中、それらの間に比較的大きな抵抗力或いは干渉状況が発生し、使用者は通常本能的に該カバーＣを回す力を増加してこのような干渉を克服或いは補償しようとする。
２．図１、２、３に示される回転軸装置１０は複雑な構造で部品数が多く、例えば右側軸１２と中継軸１４の組合せ端にはそれぞれ側翼１２１、１２２、翼室１２３及び翼部１４１、１４２と端部室１４３の構造が形成されることで相互に組み合わされ、中継軸１４と左側軸１５の組合せ端にはそれぞれ円弧突起１４４、１４５、凹部１４６と左側軸１５の円弧端１５１、１５２、凹部１５３が設けられ、このため回転軸装置の加工と組立が複雑となり、製造コストも高くなる。
【０００５】
【特許文献１】台湾実用新案登録第８２２０２７６８号明細書
【特許文献２】台湾実用新案登録第８１２０１４８２号明細書
【特許文献３】台湾実用新案登録第８６２０５７０２号明細書
【考案の開示】
【考案が解決しようとする課題】
【０００６】
本考案の主要な目的は、一種の回転軸装置を提供することにあり、それは、簡単な構造で、操作時の部品の間の抵抗力或いは干渉を減らし、並びにその構造の加工及び組合せの複雑度或いは困難度、コストの面で明らかに改善したものとする。
【０００７】
本考案の回転軸装置は、軸室が画定されたブシュを具え、該軸室内に往復運動するカムとスプリングが設けられ、スライドロッドを具えた制動器が軸室に挿入され、並びに上述のカムとバネを通過して外力或いは電子機器のカバーを開く作用力により制動器が回転してスライドロッドをカムの凹面上で移動させ、これによりカムを圧迫して軸方向の移動を発生させてスプリングにエネルギーを蓄積させるよう形成されている。
【０００８】
本考案の回転軸装置は、上記カムが対応する脊椎部と谷部を具えた凹面を具え、上述の制動器のスライドロッドが該凹面に沿って移動し、上述の凹面と点或いは線の接触を形成し、これにより上述の抵抗力を減らしている。
【課題を解決するための手段】
【０００９】
請求項１の考案は、軸室を画定したブシュと、
該ブシュの軸室内に配置されて脊椎部と谷部を具えた凹面を具えたカム及び該軸室内に配置されたスプリングと、
制動器とを具え、
該制動器が該軸室に進入し且つ該カムとスプリングを通過し、該制動器は恒常的に該カムの該凹面上に位置するスライドロッドを具え、制動器が外力により回される時、該スライドロッドが凹面上を移動し、強制的にカムに軸方向移動を発生させてスプリングにエネルギーを蓄積させることを特徴とする、回転軸装置としている。
請求項２の考案は、請求項１記載の回転軸装置において、制動器のスライドロッドが制動器の軸線方向に垂直に設けられたことを特徴とする、回転軸装置としている。
請求項３の考案は、請求項１記載の回転軸装置において、カムの凹面が対称形態とされたことを特徴とする、回転軸装置としている。
請求項４の考案は、請求項１記載の回転軸装置において、カムの凹面が、谷部から脊椎部の長さが脊椎部からもう一辺の谷部の長さより大きく形成されたことを特徴とする、回転軸装置としている。
請求項５の考案は、請求項１又は請求項２記載の回転軸装置において、スライドロッドと凹面が点又は線接触を形成することを特徴とする、回転軸装置としている。
請求項６の考案は、請求項１記載の回転軸装置において、カムが方形体とされたことを特徴とする、回転軸装置としている。
請求項７の考案は、請求項１又は請求項６記載の回転軸装置において、カムの凹面が、谷部から脊椎部の長さが脊椎部からもう一辺の谷部の長さより大きく形成されたことを特徴とする、回転軸装置としている。
請求項８の考案は、請求項１記載の回転軸装置において、制動器に制動器の他の部分より大きい頭部が設けられ、制動器がカムの貫通孔を通過した後、少なくとも該頭部は該カムを通過不能とされたことを特徴とする、回転軸装置としている。
請求項９の考案は、請求項１又は請求項８記載の回転軸装置において、制動器の尾端がカムとスプリングを通過した後にスナップリングで固定されたことを特徴とする、回転軸装置としている。
請求項１０の考案は、請求項１又は請求項２記載の回転軸装置において、スライドロッドが制動器と一体に形成されたことを特徴とする、回転軸装置としている。
【考案の効果】
【００１０】
本考案の回転軸装置は、簡単な構造で、操作時の部品の間の抵抗力或いは干渉を減らし、並びにその構造の加工及び組合せの複雑度或いは困難度、コストの面で従来の技術を明らかに改善している。
【考案を実施するための最良の形態】
【００１１】
図４、５に示される本考案の回転軸装置の実施例において、回転軸装置２０は、軸室２１が画定されたブシュ２２を具え、該軸室２１内に往復運動するカム２３とスプリング２４が設けられて軸室２１内の該カム２３とスプリング２４を制動器２５が通過してそれらが軸室２１の内側に保持されてブシュ２２からの離脱が防止される。詳しくは、カム２３が上端に形成された凹面２６と上述の制動器２５の通過に供される貫通孔２７を具え、該凹面２６がカム２３の最高点にある脊椎部２８と脊椎部２８より下向きに延伸されて低い位置に形成された谷部２９を具えている。これにより本考案の実施例中、制動器２５が軸室２１内のカム２３とスプリング２４を通過した後に、制動器２５の尾端２５１がスナップリング３０に固定され、図５に示される状態とされる。
【００１２】
制動器２５はさらに制動器２５の他の部分より大きな頭部２５２を具え、制動器２５が完全にはカム２３を通過せず、制動器２５の軸線方向に垂直にスライドロッド３１が設置されている。該スライドロッド３１は恒常的にカム２３の凹面２６上を移動可能である。
【００１３】
図６に示されるように、本考案の実施例中、回転軸装置２０は開閉式のカバーを具えた携帯電話或いは電子機器Ｄに配置される。カバーＤ１が回される時、強制的に制動器２５がブシュの軸室２１内で回転運動を発生させられ、スライドロッド３１がこれにより凹面２６の谷部２９より脊椎部２８に向けて移動し、これによりカム２３を圧迫して図の下方に向けて軸方向移動を発生させ、並びにスプリング２４にエネルギーを蓄積させ、これは図７の点線に示されるとおりである。
【００１４】
図８に示されるように、スライドロッド３１が凹面２６の脊椎部２８に至り、脊椎部２８を超過すると、スプリング２４は先に蓄積したエネルギーを釈放し、スライドロッド３１を自動的に凹面２６のもう一辺の谷部２９に向けて運動させ、カバーＤ１を開いた状態となす。使用者が加力してカバーＤ１を携帯電話或いは電子機器Ｄに向けて閉じ合わせる時、その作用力により制動器２５が回転し、スライドロッド３１が前述の経路を戻り、これによりカム２３とスプリング２４が圧迫されていスライドロッド３１がもとの谷部２９の位置に戻る。
【００１５】
該回転軸装置２０は周知の技術に較べて簡単な構造形態とされ、制動器２５がスライドロッド３１によりカム２３と組み合わされて、カバーＤ１の開放、位置決め、閉合の機能を獲得し、明らかに周知の技術における、側翼、翼室、円弧端、端部の凹部を具えた左側軸と右側軸と円弧突起、円弧凹部、翼部、端部室を具えた中継軸との複雑な組合せ状況よりも改善されている。並びに、制動器２５のスライドロッド３１がカム２３の凹面２６と点或いは線接触を保持し、明らかに従来の技術の中継軸の二つの円弧突起と左側軸の二つの円弧端の形成する面の組合せ接触よりも、操作移動時に発生する抵抗力或いは干渉の状況が低減されている。
【００１６】
図９は本考案の回転軸装置のカムの別の実施例であり、該カム４０の凹面４１はスライドロッド３１に異なる距離の往復移動の経路を提供し、即ち谷部４２から脊椎部４３の長さが明らかに脊椎部４３から谷部４４の長さよりも大きく、これによりカバーＤ１が比較的大きな角度位置で開かれた状態で位置決めされる。
【００１７】
図１０は本考案のまた別の実施例であり、カム５０は方形体とされ、該カム５０の凹面５１が図９の修正形式を参照して、谷部５２から脊椎部５３の長さが脊椎部５３から谷部５４の長さより大きく設けられている。
【００１８】
総合すると本考案は有効な回転軸装置の改良構造を提供しており、その空間形態は周知の技術とは異なり、且つ周知の技術では達成できない長所を有し、相当に大きな進歩を現出している。
【図面の簡単な説明】
【００１９】
【図１】周知の回転軸装置と携帯電話或いは電子機器のカバーの分解図である。
【図２】図１の回転軸装置の分解図である。
【図３】図１の回転軸装置の組合せ動作実施例図である。
【図４】本考案の回転軸装置の分解図である。
【図５】本考案の回転軸装置の立体断面図である。
【図６】本考案の回転軸装置を携帯電話或いは電子機器に配置した実施例表示図であり、局部拡大図と共に示している。
【図７】本考案の回転軸装置の動作実施例図である。
【図８】本考案の回転軸装置の別の動作実施例図である。
【図９】本考案の回転軸装置のカムの別の実施例図である。
【図１０】本考案の回転軸装置のカムのさらに別の実施例図である。
【符号の説明】
【００２０】
１０、２０  回転軸装置
１１  ピン
１２  右側軸
１２１、１２２  側翼
Ａ、Ａ’  軸孔
Ｂ、Ｂ’  支軸
１２３  翼室
１３  スプリング
１４  中継軸
１５  左側軸
１４１、１４２  翼部
１４３  端部室
１４４、１４５  円弧突起
１４６、１５３  凹部
Ｃ、Ｄ１  カバー
Ｄ  携帯電話或いは電子機器
２１  軸室
２２  ブシュ
２３、４０、５０  カム
２４  スプリング
２５  制動器
２６、４１、５１  凹面
２７  貫通孔
２８、４３、５３  脊椎部
２９、４２、５２、４４、５４  谷部
３０  スナップリング
２５１  尾端
２５２  頭部
３１  スライドロッド
【図１】
0003101570.tif 000003
【図２】
0003101570.tif 000004
【図３】
0003101570.tif 000005
【図４】
0003101570.tif 000006
【図５】
0003101570.tif 000007
【図６】
0003101570.tif 000008
【図７】
0003101570.tif 000009
【図８】
0003101570.tif 000010
【図９】
0003101570.tif 000011
【図１０】
0003101570.tif 000012